【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
カーソルにより削除対象の文字の直前を位置指定して削除するデリート機能および前記文字の直後を位置指定して削除するバックスペース機能の双方を利用して、１以上の文字から成る文字列を編集する文字編集装置であって、
前記デリート機能および前記バックスペース機能のいずれかを基本機能として、１つのキーに設定する機能設定手段と、
設定された前記キーのキー操作に応じて、前記カーソルにより行頭文字の直前が位置指定されているときには、前記行頭文字を削除し、行末文字の直後が位置指定されているときには、前記行末文字を削除し、その他の位置指定のときには、前記基本機能に従った削除を行う削除実行手段と、
を備えたことを特徴とする文字編集装置。
【請求項２】
前記機能設定手段は、前記キー操作以前に、前記デリート機能および前記バックスペース機能のいずれかを前記基本機能として選択して設定する操作前設定手段を有することを特徴とする、請求項１に記載の文字編集装置。
【請求項３】
前記機能設定手段は、前記カーソルにより文字間が位置指定されているときに、前記キー操作後、且つそれに応じた削除の実行前に、前記デリート機能および前記バックスペース機能のいずれかを前記基本機能として選択して設定する操作後設定手段を有することを特徴とする、請求項１または２に記載の文字編集装置。
【請求項４】
前記操作後設定手段は、
前記キー操作以前に前記基本機能の設定が１回以上行われているときに、直前の設定を維持する設定維持手段と、
前記設定が１回も行われていないときに、前記デリート機能および前記バックスペース機能のいずれかを前記基本機能として選択する基本機能選択手段と、
前記設定が１回も行われていないときに、選択された前記基本機能を前記キーに設定する新規設定手段と、
を有することを特徴とする、請求項３に記載の文字編集装置。
【請求項５】
カーソルにより削除対象の文字の直前を位置指定して削除するデリート機能および前記文字の直後を位置指定して削除するバックスペース機能の双方を利用して、１以上の文字から成る文字列を編集する文字編集方法であって、
前記デリート機能および前記バックスペース機能のいずれかを基本機能として、１つのキーに設定するとともに、設定された前記キーのキー操作に応じて、前記カーソルにより行頭文字の直前が位置指定されているときには、前記行頭文字を削除し、行末文字の直後が位置指定されているときには、前記行末文字を削除し、その他の位置指定のときには、前記基本機能に従った削除を行うことを特徴とする文字編集方法。
【請求項６】
コンピュータを請求項１ないし４のいずれかに記載の文字編集装置の各手段として機能させることを特徴とするプログラム。
【請求項７】
コンピュータを請求項１ないし４のいずれかに記載の文字編集装置の各手段として機能させるプログラムを記憶したコンピュータ読み取り可能な記憶媒体。
【手続補正２】
【補正対象書類名】明細書
【補正対象項目名】０００６
【補正方法】変更
【補正の内容】
【０００６】
本発明の文字編集装置は、カーソルにより削除対象の文字の直前を位置指定して削除するデリート機能および前記文字の直後を位置指定して削除するバックスペース機能の双方を利用して、１以上の文字から成る文字列を編集する文字編集装置であって、前記デリート機能および前記バックスペース機能のいずれかを基本機能として、１つのキーに設定する機能設定手段と、設定された前記キーのキー操作に応じて、前記カーソルにより行頭文字の直前が位置指定されているときには、前記行頭文字を削除し、行末文字の直後が位置指定されているときには、前記行末文字を削除し、その他の位置指定のときには、前記基本機能に従った削除を行う削除実行手段と、を備えたことを特徴とする。
【手続補正３】
【補正対象書類名】明細書
【補正対象項目名】０００７
【補正方法】変更
【補正の内容】
【０００７】
また、本発明の文字編集方法は、カーソルにより削除対象の文字の直前を位置指定して削除するデリート機能および前記文字の直後を位置指定して削除するバックスペース機能の双方を利用して、１以上の文字から成る文字列を編集する文字編集方法であって、前記デリート機能および前記バックスペース機能のいずれかを基本機能として、１つのキーに設定するとともに、設定された前記キーのキー操作に応じて、前記カーソルにより行頭文字の直前が位置指定されているときには、前記行頭文字を削除し、行末文字の直後が位置指定されているときには、前記行末文字を削除し、その他の位置指定のときには、前記基本機能に従った削除を行うことを特徴とする。
【手続補正４】
【補正対象書類名】明細書
【補正対象項目名】０００８
【補正方法】変更
【補正の内容】
【０００８】
これらによれば、デリート（ＤＥＬ）機能とバックスペース（ＢＳ）機能のいずれかを基本機能として、１つのキー（以下「削除キー」）に設定するので、基本機能として設定された側の機能キーとして、操作が楽になる。また、基本機能がどちらであっても、行頭文字の直前がカーソル（位置）指定されているときには、行頭文字を削除するので、この場合、ＤＥＬ機能を実行する。また、行末文字の直後が位置指定されているときには、行末文字を削除するので、この場合、ＢＳ機能を実行する。したがって、ＤＥＬ機能とＢＳ機能のうちの好みの一方を基本機能として設定することにより、好みの一方を基本機能として設定して、楽に操作しつつ、他のキーと組み合わせたり２段押圧の微妙な切換操作等を伴うことなく、同一キー操作により、基本機能でない他方の機能も利用できる。
【手続補正５】
【補正対象書類名】明細書
【補正対象項目名】００１１
【補正方法】変更
【補正の内容】
【００１１】
また、上述の各文字編集装置において、前記機能設定手段は、前記カーソルにより文字間が位置指定されているときに、前記キー操作後、且つそれに応じた削除の実行前に、前記デリート機能および前記バックスペース機能のいずれかを前記基本機能として選択して設定する操作後設定手段を有することが好ましい。
【手続補正６】
【補正対象書類名】明細書
【補正対象項目名】００１２
【補正方法】変更
【補正の内容】
【００１２】
これによれば、カーソル指定が文字間の場合に、上述の削除キーの操作後、且つ実際の削除実行前に、基本機能として、ＤＥＬ機能とＢＳ機能のいずれかを選択して設定でき、その直後に、選択した側の機能キーとして機能する。すなわち、好みの一方を選択・設定することで、その機能キーとして機能させることができる。
【手続補正７】
【補正対象書類名】明細書
【補正対象項目名】００１５
【補正方法】変更
【補正の内容】
【００１５】
また、本発明のプログラムは、コンピュータを上述のいずれかの文字編集装置の各手段として機能させること、または、上述の文字編集方法を実行可能なことを特徴とする。また、本発明の記憶媒体は、コンピュータを上述のいずれかの文字編集装置の各手段として機能させるプログラムを記憶したコンピュータ読み取り可能なものであることを特徴とする。
【手続補正８】
【補正対象書類名】明細書
【補正対象項目名】００１６
【補正方法】変更
【補正の内容】
【００１６】
これらによれば、上述のいずれかの文字編集装置の各手段として機能させることができるので、または、上述の文字編集方法を実行可能なので、プログラム処理可能な装置によって処理されることにより、または、記憶媒体から読み出して実行することにより、ＤＥＬ機能とＢＳ機能のうちの好みの一方を基本機能としつつ、同一キー操作により他方の機能も利用できる。
【手続補正９】
【補正対象書類名】明細書
【補正対象項目名】００４６
【補正方法】変更
【補正の内容】
【００４６】
次に、テープ印刷装置１の制御全体の処理フローについて、図５を参照して説明する。電源キーを押すこと（電源オン）により処理が開始すると、図５に示すように、まず、前回の電源オフ時の状態に戻すために、退避していた各制御フラグを復旧するなどの初期設定を行い（Ｓ１）、次に、前回の表示画面を初期画面として表示する（Ｓ２）。
【手続補正１０】
【補正対象書類名】明細書
【補正対象項目名】００４７
【補正方法】変更
【補正の内容】
【００４７】
その後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力その他による割込を許可し、何らかの割込が発生するまでは、そのままの状態を維持し（Ｓ３：Ｎｏ）、何らかの割込が発生すると（Ｓ３：Ｙｅｓ）、それぞれの割込処理に移行して（Ｓ４）、その割込処理が終了すると、再度、その状態を維持する（Ｓ３：Ｎｏ）。
【手続補正１１】
【補正対象書類名】明細書
【補正対象項目名】００４９
【補正方法】変更
【補正の内容】
【００４９】
例えば図６（ａ）に示すように、カーソルＫまでの１行目の文字（キャラクタ）列「ＡＢＣＤＥ」を入力後のテキスト編集画面表示の状態で（画面Ｄ１０：以下、表示画面４１の状態を画面Ｄｘｘとし、Ｄｘｘのみで説明および図示する。）、ユーザにより印刷キーが押されると、「印刷中」のメッセージの表示とともに（Ｄ１１）、文字列「ＡＢＣＤＥ」の文字列画像を印刷画像Ｇ００として印刷し、設定に応じてカットしてラベルＬ００を作成し（図６（ｂ）参照）、印刷が終了すると、元のテキスト編集画面に戻る（Ｄ１２：Ｄ１０と同じ）。なお、テープ印刷装置１では、ユーザは、キー入力による各種指示を取消キーにより取り消すことができ、例えば上述の状態（Ｄ１１）から取消キーを押すことにより、元のテキスト編集画面の表示状態（Ｄ１０）に戻すことができる。
【手続補正１２】
【補正対象書類名】明細書
【補正対象項目名】００５１
【補正方法】変更
【補正の内容】
【００５１】
まず、例えば図７（ａ）に示すように、前述の１行目の文字列「ＡＢＣＤＥ」を入力後の状態では（Ｄ１０（またはＤ１２）：図６（ａ）と共通）、カーソルＫが行末（行末文字「Ｅ」の後端）を位置指定しているので、本実施形態の削除キーは、ＢＳキーとしての機能（ＢＳ機能）を実行する。すなわち、上述の状態から（Ｄ１０）、削除キーが押されると（操作されると）、カーソルＫの前側（カーソル直前）にある行末文字「Ｅ」を削除する（Ｄ１３）。
【手続補正１３】
【補正対象書類名】明細書
【補正対象項目名】００５２
【補正方法】変更
【補正の内容】
【００５２】
次に、例えば図７（ｂ）に示すように、上述の状態から（Ｄ１０）、カーソルキーの必要数分の複数回操作により（またはシフトキーとの組合せで１回のカーソル操作で一挙に）カーソル移動され、行頭（行頭文字の「Ａ」の前端）が位置指定された状態になると（Ｄ２０）、本実施形態の削除キーは、ＤＥＬキーとしての機能（ＤＥＬ機能）を実行する。すなわち、上述の状態から（Ｄ２０）、削除キーが押されると、カーソルＫの後側（カーソル直後）にある行頭文字「Ａ」を削除する（Ｄ２１）。
【手続補正１４】
【補正対象書類名】明細書
【補正対象項目名】００５６
【補正方法】変更
【補正の内容】
【００５６】
この状態では（Ｄ３１）、選択肢として、基本機能としてのＢＳ機能を選択・設定するための「ＢＳ」、基本機能としてのＤＥＬ機能を選択・設定するための「ＤＥＬ」、のいずれかを、カーソル操作によって選択・指定できる。
【手続補正１５】
【補正対象書類名】明細書
【補正対象項目名】００８４
【補正方法】変更
【補正の内容】
【００８４】
なお、上述した実施形態において採用された文字編集装置の機能あるいは各種処理方法（文字編集方法など）を、コンピュータが処理可能なプログラムとして提供することも可能である。また、その種のプログラムをコンピュータにより読み取り可能な記憶媒体に格納して提供することも可能である。この種のプログラムを記憶しておいて、あるいは記憶媒体等から読み出して、実行することにより、ＤＥＬ機能とＢＳ機能のうちの好みの一方を基本機能としつつ、同一キー操作により他方の機能も利用できる。